(57)【要約】      （修正有）【課題】自力歩行に自信のない健常者や高齢者が、安全に室内を移動可能で、かつ、それ以上の筋力低下を招かないように、自身の脚の力で走行し易い歩行補助器具を提供する。【解決手段】本考案は、前から乗り込む形態の車椅子において、車体後部の左側と右側に一対の車輪である後輪１と着座シ−ト８の前方中央の下部に前輪３及び前輪カバ−６が形成され、前輪上部のフレ−ム７を軸とし開閉可能で、着座シ−ト下に収納可能なフットサポ−トを備えた構造のため、着座シ−ト８の前方左右の角をなくすことを可能とし、脚を開いて漕ぎ、脚を開いて立ち上がる事を可能とし、前輪上部のフレ−ム７が着座シ−ト８の前方中央を支持するため立ち上がり時に車椅子が前に転倒するリスクを下げることを可能とする。【選択図】図１
2020058749.tif 000002
【特許請求の範囲】
【請求項１】
前から乗り込む形態の車椅子において、車体後部の左側と右側に一対の車輪である後輪１と着座シ−ト８の前方中央の下部に前輪３及び前輪カバ−６が形成されている、座席シ−ト８の下部に収納可能なフットサポ−トを備え構成した事を特徴とする前輪が中央にある車椅子。
【請求項２】
着座シート８は、前面の左右両端は角がなく丸く形成されていることを特徴とする請求項１記載の前輪が中央にある車椅子
【請求項３】
前輪上部のフレ−ム７を軸とし、左右の背部のフレ−ム１５を開閉可能で折りたたむことを可能にした請求項１記載及び請求項２記載の前輪が中央にある車椅子
【請求項４】
アームサポート５は前方が固定されていないのでアームサポート接続部１０が回動可能、かつ固定する高さ及び前後の長さを調節出来る事を特徴とする請求項１記載から請求項３のいずれかに記載の前輪が中央にある車椅子
【請求項５】
前輪上部のフレームの先端１１は上に引き出し固定することで長さを可変できる事を特徴とする請求項１記載から請求項６のいずれかに記載の前輪が中央にある車椅子
【請求項６】
前輪３に連結する前輪を補助する車輪４が形成されている事を特徴とする請求項１記載から請求項５のいずれかに記載の前輪が中央にある車椅子
【請求項７】
取り外し及び座面下部に収納可能なフットサポート９を有している請求項１記載から請求項６のいずれかに記載の前輪が中央にある車椅子
【請求項８】
フットサポート９の下部に収納可能なキャスターが設けられ、フットサポート利用時に前輪３と左右のキャスターとの三点で車椅子及び利用される人を支えることが出来るよう形成されている請求項１記載から請求項７のいずれかに記載の前輪が中央にある車椅子
【発明の詳細な説明】
【技術分野】
【０００１】  本発明は、前から乗り込む形態の車椅子に関し、着座シ−トの前方中央の下部に前輪及び前輪カバ−が形成され、かつ前輪上部のフレ−ムを軸に折りたたみ可能に構成した事を特徴とする前輪が中央にある車椅子に関する。
【背景技術】
【０００２】車椅子の従来技術としては、４輪の車椅子が多く、前部左右に車輪がついており、左右の前輪に脚が当たらないようにフットサポ−トを付けると、脚を拡げることが出来ない構造であった【０００３】三輪の車椅子においては、前輪が２つに後輪が１つのものがあるが上記の問題が解決されていない。【０００４】また三輪の車椅子において、前輪が１つに後輪が２つのものについては、前部にハンドルや足漕ぎペダルなどがついており、横から跨って乗る形態のものが多く、脚の筋力の低下した健常者や高齢者が乗り降りするには適していないものであった。
折り畳むことが出来ないため場所をとるものであった。
【先行技術】
【０００５】
【特許文献１】特許第４９９５９９９号（Ｐ４９９５９９９）
【発明の概要】
【発明が解決しようとする課題】
【０００６】四輪車椅子において、前部左右に車輪があり、車輪の前にフットサポ−トが形成されていたため、利用者は、足を開くことが出来なかった。また、前部左右に車輪があることにより、フットサポ−トを内側に収納したまま走行することが難しい構造であった。
室内で利用することから、使わないときに折りたたみ小さく収納する必要性から四輪の車椅子は中央に支点がない為、立ち上がり時に前に車椅子が転倒するリスクがあった。【０００７】この発明の目的は、自力歩行に自信のない健常者や高齢者が、安全に室内を移動可能で、かつ、それ以上の筋力低下を招かないように、足を開いて、自身の脚の力で走行し易い歩行補助器具である車椅子を提供することにある。
【発明が解決するための手段】
【０００８】請求請とそれが可能にすること、請求項１にあっては、前から乗り込む形態の車椅子において、車体後部の左側と右側に一対の車輪である後輪と着座シ−トの前方中央の下部に前輪及び前輪カバ−を形成されている、前輪を着座シートの中央に置いたことにより、四輪においての左右の前輪を外すことが可能で、立ち上がりの際に最も荷重がかかる座席シートの前面中央は下を前輪と前輪上部のフレームが直接支持する為、前に倒れにくく形成されるように構成した。
【０００９】請求項２に係る車椅子にあっては、座席シ−トの下部の前輪上部のフレ−ムを軸にフットサポ−トを取り付け、開閉し収納可能なフットサポ−トを備え、左右のフットサポ−トが１２０度になる位置と１８０度の位置及び後部にフットサポ−トを動かし固定でき、自走及び立ち上がり時には、フットサポ−トを後ろに下げ、緊急時など人に後ろから押してもらい介助される時には、フットサポ−トを前に出し、足を乗せられるよう構成した。
【００１０】  請求項３に係る車椅子にあっては、前輪上部のフレ−ムと左右の背部のフレ−ムとを開閉可能に接することで前輪上部のフレ−ムを折りたたむことを可能にした、室内で使う車椅子において、利用しないときに小さく折りたたむ事が出来るよう左右の背部フレームを閉じられるよう設定されるように構成した。
【００１１】  請求項４に係る車椅子にあっては、アームサポートはとても重要で長さ高さがちょうど良い位置で固定することが必要である。今まではアームサポートがフットサポートのフレームとくっついているものが多かったが、これを離したので背部フレームに回転可動式の軸のある留め具でアームサポートを固定することで高さ及び前後の長さを調節し固定することが出来るように構成した。
【００１２】  請求項５に係る車椅子にあっては、緊急時など人に後ろから押してもらい介助される時に、フットサポ−トに足を乗せる時に、介助者が前輪上部のフレームの先端を上に引き出し固定し長くすることが出来るように構成した。
【００１３】  請求項６に係る車椅子にあっては、前輪への荷重が高くなることが想定されるために１つの車輪では壊れやすいので、前輪に連結する前輪を補助する車輪が前輪に係る荷重を分散させるように構成した。
【００１４】請求項７に係る車椅子にあっては、前輪上部のフレ−ムを軸にフットサポ−トを取り外し及び座面下部に収納可能なフットサポートなので、走行中、利用者の足にあたらず、利用者自身がフットサポートを足で押すことで開閉されるので、前にかがまなくても出し入れができるように構成した。
【００１５】請求項８に係る車椅子にあっては、フットサポートに足を乗せ、介助者に後ろから押してもらう時には、前方が不安定になるため、フットサポートの下部に収納可能なキャスターが設けられ、フットサポート利用時に前輪と左右のキャスターとの三点で車椅子及び利用される人を支えることが出来るよう形成されるよう構成した。
【発明の効果】
【００１６】自力歩行に自信のない健常者や高齢者が、安全に室内を移動する際に、左右に前輪がない為、自身の脚の力で床を蹴ることが出来る範囲が大きくなり、かつ着座シートの先端が丸くなることで、膝を肩幅に広げて立つことが可能になり、前方中央を支持するため立ち上がり時に車椅子が前に転倒するリスクを下げることを可能とする。
【図面の簡単な説明】
【００１７】
【図１】  本発明に実施の形態に係る前輪が中央にある車椅子の斜視図である。
【図２】  本発明の実施の形態に係る前輪が中央にある車椅子の正面図である。
【図３】  本発明の実施の形態に係る前輪が中央にある車椅子の平面図である。
【図４】  本発明の実施の形態に係る前輪が中央にある車椅子の側面図である。
【図５】  本発明の骨組みを示す斜視図である。
【図６】  本発明のフットサポートを開いた時の使用例の正面図である。
【発明を実施するための形態】
【００１８】図１から図４は本考案に係る前輪が中央にある車椅子の実施例を示す。図３において前輪上部のフレーム７を軸とし、第１アームと第２アームがＶ字状に連結され背部フレーム上部の取っ手１７を持ち、開閉可動する。
【００１９】図２において、車体後部の左側と右側に一対の車輪である後輪１と着座シ−ト８の前方中央の下部に前輪３及び前輪カバ−６が形成されている。
【００２０】  図３において、着座シート８は、前面の左右両端は角がなく丸く形成されている。尚、実施例では着座シート８の前面は半円型をしているが、必ずしもこれに限定されるものではなく、前角がなく前面中央のみが前に出ている自転車に使われるサドルの前方のような形でも良い。
【００２１】図５において、アームサポート接続部１０上の溝とアームサポート５下部の溝とをスライドさせる固定することで、アームサポートの前後の長さを調節する。
アームサポートと背部とアームサポート接続部の固定位置を変えることで高さを調節する。
アームサポート接続部に回転可能な留め具で連結してある。
【００２２】  前輪上部のフレームの先端１１ふたのようになっていて上に引き出し固定することで長さを可変できる。
【００２３】  図６において、前輪３と連結する前輪を補助する車輪４が前輪３の斜め後ろに２つ形成されている。
フットサポート９の下部に折りたたみ収納可能なキャスター１６が設けられている。
【符号の説明】
【００２４】１  後輪
２  後輪グリップ
３  前輪
４  前輪を補助する車輪
５  アームサポート
６  前輪カバー
７  前輪上部のフレーム
８  着座シート
９  フットサポート
１０  アームサポート接続部
１１  前輪上部のフレームの先端
１２  第１アーム
１３  第２アーム
１４  背部の横フレーム
１５  背部のフレーム
１６  キャスター
１７  取っ手
【図１】
2020058749.tif 000003
【図２】
2020058749.tif 000004
【図３】
2020058749.tif 000005
【図４】
2020058749.tif 000006
【図５】
2020058749.tif 000007
【図６】
2020058749.tif 000008